(57)【要約】      （修正有）【課題】照明管（蛍光管等）の不必要な場所への放射光の拡散を無くした器具・照明管一体型照射光制御反射鏡を提供する。【解決手段】全方向照射光源である照明管１の後方への拡散放射光を部分的に反射させるのではなく、照射光制御反射鏡７の反射光の中心光軸上の焦点位置と鏡面の間に照明管を配置して、照明管１の全ての放射光を必要範囲のみに重複照射させた。【選択図】図３
2013041792.tif 000002
【特許請求の範囲】
【請求項１】
蛍光管及び蛍光ネオン管（以下、これらを単に照明管という）の放射光が器具吸収消滅・反射板吸収消滅や光源回帰消滅等の現象が発生しにくい単体もしくは複数の曲面鏡や放物面鏡又は楕円曲面鏡（以下、これらを単に照射光制御反射鏡という）の反射光の中心光軸上の焦点位置と鏡面の間に照明管を配置して照明管の円筒管の円筒部断面中心位置（円形の中心点）から照射光制御反射鏡の両端位置までの角度や長さを調整して照射光制御反射鏡内に照射される全ての照明管放射光を照明管から直接照射される範囲内に重複反射させることを特徴とする照明管を組込んだ照明管一体型照射光制御反射鏡。
【請求項２】
請求項１の機構を有する照射光制御反射鏡の中央部（灯軸上）の鏡面部に逆V字形状の凸型反射曲面鏡構造物を有し、放射光の光源回帰の発生しない構造にしたことを特徴とする照明管を組込んだ照明管一体型照射光制御反射鏡。
【請求項３】
請求項１または請求項２に記載の機構を有する照射光制御反射鏡を密封型の円柱型（楕円円柱型を含む）又はハーフパイプ型のカバー内部に直管や環状管・螺旋管及びスパイラル管の照明管適合形状に形成し光源自体を内部に組込み込んだ照明器具で電球形状、板状及び円盤形状のいずれかの形状に形成した事を特徴とする照明管を組込んだ照明管一体型照射光制御反射鏡。
【請求項４】
請求項１から請求項３のいずれかに記載の機構を有する照射光制御反射鏡を複数個配置した照明管及び照明器具内部の各照射光制御反射鏡の照射角度や照射方向を部分的に変更可能にしたことを特徴とする照明管を組込んだ照明管一体型照射光制御反射鏡。
【発明の詳細な説明】
【技術分野】
【０００１】
本発明は、照明管用の照射光制御反射鏡及び照射光制御反射鏡と照明管を組込んだ照明管一体型照射光制御反射鏡に関する。
【背景技術】
【０００２】
一般に販売されている照明管灯具は天井直付けや埋没式・吊り下げ式等の器具固定式で少ないエネルギーで広範囲を照らしている。しかし、代表的照明器具の蛍光灯ではあるが、エコ・省エネの波に押されＬＥＤ照明化が進んでいる。
【０００３】
また、直下を明るくする為に照明管支持具の上部に反射板を設置し、照明管前方にルーバー等の散光防止器具を装着しグレアを防ぎ、拡散光を直下方向に照射している。
【０００４】
そして、ウォールウォッシャータイプ等と呼ばれる壁面照射用器具等の照射方向を限定することで特定方向へ放射光を照射している。
【先行技術文献】
【特許文献】
【０００５】
【特許文献１】特開平１０−１６２６２６号公報
【特許文献２】特開２００１−１６７６２７号公報
【特許文献３】意匠第１１１９３４３号公報
【発明の開示】
【発明が解決しようとする課題】
【０００６】
本発明が解決しようとする課題は、蛍光灯等の一般照明管は棒状・曲管状または螺旋状等の光源であり放射光が均一な全方向放射光源である為、必要箇所への照射光量が少なく不必要な場所への拡散光が多かった。その拡散放射光を制御し不必要な箇所へは照射せず、必要な特定方向へ重複照射させる照明管器具や照明管を提供することである。
【０００７】
また、蛍光灯等の一般照明管は寒冷地や冷蔵ショーケース等では発光し難く発光効率も悪くフィラメント近傍が冷却されるとカタホレシス現象が発生しやすかった。また、蛍光管は電源のオンオフ一回で一時間短くなると言われているが、蛍光管周囲温度が高温になると明るさは増すが寿命は短くなった。
【０００８】
そして、蛍光灯等の埋没式一般照明灯具は照明管後方に反射率４０％から８０％程度の拡散反射板を設置して、照明管後方への一部の拡散放射光を拡散反射させている。また、照明管前方にはルーバー等の散光防止器具を使用して蛍光灯の放射光を制御している。照明管放射光の照射面積は６分の一程度に縮小されているが反射光の光源回帰消滅や反射板や器具等による吸収消滅の為に、照明管器具内の上部に大型鏡面反射板を設置しても１．５倍から２倍弱の照度しか得られず光量の増加は少なかった。        
【課題を解決するための手段】
【０００９】
課題を解決するには、照明管の後方への拡散放射光を部分的に反射させるのではなく、照明管を棒状光源や曲管光源として考えずに点光源の連続体と考えて回転放物面鏡や球面鏡の連続形状の局面鏡形状に照射設計した反射鏡の光軸上の鏡面近傍部に照明管を設置し、全ての照明管放射光を必要範囲のみに制御照射させる事である。
【００１０】
また、照射光制御反射鏡に極細の照明管を設置しカバーする事で明るさと照明管の破損や衝撃からの保護と劣化防止を行える。
【発明の効果】
【００１１】
本発明の照射光制御反射鏡（反射率９５％程度を使用）を１４ｗＴ５熱陰極管（１ｍの鉛直光度１４０ｃｄ）に配置して照明管（光源）１中心部から照射光制御反射鏡両端部までの放射光の放射角を１２０度に設定し照射面積を３分の１にすると鉛直光度は約２．９倍（４０８ｃｄ）になり放射角を９０度にすると放射光量は約３．８倍（５３７ｃｄ）になった。放射角を８０度にすると放射光量は約４．３倍（６０２ｃｄ）を計測した。
【００１２】
又、本発明の照射光制御反射鏡（反射率９５％程度を使用）を１４ｗ程度の冷陰極管（鉛直光度７０ｃｄ）に配置して、冷陰極管（光源）から蛍光管放射光制御反射鏡両端部までの放射光の放射角を１２０度に設定し照射面積を３分の１にすると鉛直光度は約２．９倍（２０２ｃｄ）を計測した。これは２０ｗ蛍光灯（鉛直光度１７０ｃｄ）や１００ｗ白熱電球（鉛直光度１２０ｃｄ）より明るく低発熱な照明となった。
【００１３】
本発明の請求項２の波形状照明管一体型照射光制御反射鏡を３９ｗのＴ５蛍光管で制作した場合、照明管一体型照射光制御反射鏡は縦３５ｃｍ横４０ｃｍの大きさで厚さも６ｃｍ程度だが、放射光の放射角を６０度に設定すると４００ｗ水銀灯に近い明るさを得る事ができる。天井に固定し照明管一体型照射光制御反射鏡を設置できるので大型商業施設や公共施設等の照明設置の際に壁下や梁を考慮する必要の無い照明設計が行える照明器具や照明管を提供できる。冷陰極管は寿命が４００００時間〜６００００時間の長寿命で電源のオンオフによる寿命変化が少ないので、φ４極細冷陰極管で製造した場合、１６０ｃｍを超える冷陰極管を使用した照明管一体型照射光制御反射鏡は縦横２５ｃｍに満たず厚さも２ｃｍ程度しかない極薄軽量照明なので肉厚１ｍｍ程度の照明管支持板を天井に固定し照明管一体型照射光制御反射鏡を設置できるのでオフィスや一般家屋等の照明器具や照明管として使用できる長寿命照明器具を提供できる。
【図面の簡単な説明】
【００１４】
【図１】中央部突出式２灯型蛍光灯器具の側面カバーを外した側面図である。
【図２】請求項１の照射光制御反射鏡７の横断面図である。
【図３】請求項２の逆V字形状の凸型反射曲面鏡構造を有する照明管用照射光制御反射鏡の横断面図である。
【図４】請求項２の螺旋型照明管一体型照射光制御反射鏡の下方より見上げた上方斜視図である。
【図５】請求項２のＵ字型照明管一体型照射光制御反射鏡の下方より見上げた上方斜視図である。
【図６】請求項２の環状照明管一体型の縦断面図である。
【図７】図６を下方より見上げた上方斜視図である。
【図８】請求項２のスパイラル照明管一体型用の照射光制御反射鏡の側面図である。
【図９】請求項２の変形螺旋照明管一体型照射光制御反射鏡を３９ｗＴ５蛍光管で制作した照明管一体型照射光制御反射鏡を下方より見上げた上方斜視図である。
【図１０】請求項３のＵ字管型照明管一体型照射光制御反射鏡の密封型の楕円円柱型状体を下方より見上げた上方斜視図である。
【図１１】請求項３のＮ型照明管一体型照射光制御反射鏡の下方より見上げた上方斜視図である。
【図１２】請求項３の螺旋照明管一体型照射光制御反射鏡を下方より見上げた上方斜視図である。
【図１３】図４の天井・壁面設置器具１２を天井に設置し、照明管一体型照射光制御反射鏡本体１３を取り付け下方より見上げた上方斜視図である。
【図１４】請求項３のスパイラル照明管一体型照射光制御反射鏡の電球形状体の側面図である。
【図１５】請求項３の波状照明管一体型照射光制御反射鏡下方より見上げた上方斜視図である。
【図１６】請求項３の螺旋円錐管一体型照射光制御反射鏡の縦断面図である。
【図１７】請求項３の螺旋型照明管一体型照射光制御反射鏡の縦断面図である。
【図１８】請求項４の螺旋型照明管一体型照射光制御反射鏡の縦断面図である。
【発明を実施するための形態】
【００１５】
実施する最良の形態とは、照明管の拡散放射光を部分的に反射させるのではなく、照明管（光源）１近傍に放射光が光源回帰し難い高反射率の放射光制御反射鏡を設置し、照射光制御反射鏡両端と蛍光管中心部の距離と角度を変えて蛍光管からの放射光及び反射光の照射領域を調整し照射光制御反射鏡内で放射された全ての放射光を放射光開放角度内に重複反射させ照度を上げる機構を有させる事である。
【００１６】
また、照明管（光源）１を照射光制御反射鏡７本体に内蔵設置した照明管を製造することで、極細の蛍光管を破損から防ぎ周囲温度に影響されにくく、小型で明るく寒冷地や冷蔵庫等でも省エネルギーで使用出来る長寿命な照明管が製造出来る。
【実施例】
【００１７】
以下、本発明の実施例にもとづき図面を用いて説明する。
図１は一般的な中央部突出式２灯型蛍光灯器具の側面カバーを外した側面図である。器具３の蛍光管支持具４に配置された照明管（光源）１の器具に遮れられない放射光５ｂから５ｂ’及び５ｃから５ｃ’の放射角度はともに約１１０度程度で器具３内部に照射される２５０度程度の放射光５の大半は反射率４０％から８０％程度の側方反射板２によって拡散反射される。照明管（光源）１の側方反射板２から２’の器具前方への反射板設置角度は約６０度から９０度程度で照明管（光源）１の中心から側方反射板２から２’両端までの放射光５の放射角度は約８０度から１１０度程度であり、反射光６の光源回帰による輝度の増加も起こるが放射光５ａから放射光５ａ’間の反射光６大半は光源回帰消滅してしまう。器具３内部の大半の反射光６は光源回帰消滅や反射板・器具等による吸収消滅により激減し反射板未設置時より４０％程度の光量増加にとどまる。
【００１８】
図２は本発明請求項１の照射光制御反射鏡７の横断面図である。開放照射角度を４分の１の９０度に設定した照射光制御反射鏡７に照明管（光源）１を配置したものである。照明管（光源）１から放射された放射光制御反射鏡７に遮れられない放射光５ａから放射光５ａ’と照射光制御反射鏡７の両端と照明管（光源）１の中心を結んだ光源開放角９０度部分に照射された放射光５が反射した反射光６に分かれる。請求項１は照射光制御反射鏡の中央部（灯軸上）の鏡面部に逆V字形状の凸型反射曲面鏡構造物を有さないので照明管（光源）１近傍５ｂから５ｂ’間（後方放射光の７分の１程度）の放射光５が照射光制御反射鏡７によって照明管（光源）１に回帰消滅するが大半の反射光６は放射光５の開放角９０度内に反射され重複照射され約３．５倍の明るさとなった。
【００１９】
図３は本発明請求項２の逆V字形状の凸型突起反射鏡（または反射曲面鏡）４構造を有する照明管用照射光制御反射鏡の横断面図である。図１の照射光制御反射鏡７の中央部（灯軸上）の鏡面部に逆V字形状の凸型突出面反射鏡（または反射曲面鏡）構造物８を有しているので照明管（光源）１に回帰消滅していた後方放射光の７分の１程度の反射光６は光源回帰せずに照射光制御反射鏡７の開口部より放射される。
【００２０】
図４は本発明請求項２の螺旋型照明管一体型照射光制御反射鏡の縦断面状態を下方より見上げた上方斜視図である。照明管（光源）１管径中心点から照射光制御反射鏡の両端部までの放射光解放角度を約６０度に設定した照射光制御反射鏡７が照明管（光源）１の上面近傍から側方及び斜め前方まで照明管（光源）１を包囲しながら照射光制御反射鏡７の鏡軸上の鏡面近傍を照明管（光源）１が照射光制御反射鏡７と並行に螺旋形状に形成されカバー１０により保護されている。
【００２１】
図５は本発明請求項２のＵ字型照明管一体型照射光制御反射鏡の下方より見上げた斜視図である。
器具３に設置された照射光制御反射鏡７に照明管（光源）１が設置されている。
【００２２】
図６は本発明請求項２の環状照明管一体型の縦断面図である。
【００２３】
図７は図６を下方より見上げた上方斜視図である。
【００２４】
図８は本発明請求項２のスパイラル照明管一体型用の照射光制御反射鏡の側面図である。スパイラル形状はよく一般蛍光電球として使用されているが全ての蛍光管はピッチが狭く放射光の４０％程度は光源回帰消滅している。極細照明管（光源）１のピッチを照射光制御反射鏡７につり合う間隔でスパイラル形状に形成したもので全ての放射光は放射光と反射光として放射される。
【００２５】
図９は本発明請求項２の変形螺旋照明管一体型照射光制御反射鏡を３９ｗＴ５蛍光管で制作した照明管一体型照射光制御反射鏡の下方斜視図である。大きさは縦３５ｃｍ、横４０ｃｍで厚さも６ｃｍ程度だが、放射光の放射角を６０度に設定すると４００ｗの水銀灯以上の明るさを得る事ができる。
【００２６】
図１０は本発明請求項３のＵ字管型照明管一体型照射光制御反射鏡の密封型の円柱型（楕円円柱型を含む）状体を下方より見上げた斜視図である。図６のＵ字管型照明管一体型照射光制御反射鏡をカバー１０により密封した密封型は周囲温度等が外界の冷気によって照明管（光源）１が極端に冷やされるおそれがなくなって、照明管１が安定した点灯状態を保ち易くなり、冷却により発生するカタホレシス現象が発生しにくくなり、外界からの衝撃に対して破損しにくく、安全な照明になった。
【００２７】
図１１は本発明請求項３のＮ型照明管一体型照射光制御反射鏡の下方より見上げた上方斜視図である。図は２０ｗ蛍光灯一灯型とほぼ同大で厚みは４分の１であるが、３倍から６倍の明るさを有する。
【００２８】
図１２は本発明請求項３の螺旋照明管一体型照射光制御反射鏡を下方より見上げた斜視図である。段落番号（００１２）で説明した直径４ｍｍの極細照明管の場合の照明管一体型照射光制御反射鏡は縦横２５ｃｍに満たず厚さも２ｃｍ程度しかなく、肉厚１ｍｍ程度の天井・壁面設置器具１２を天井や壁面に設置後に照射光制御反射鏡７や照明管（光源）１を内蔵しカバーで密封した照明管一体型照射光制御反射鏡本体１３を設置できる。直径４ｍｍのネオン管極細照明管を使用すると連続接続可能なので大型照明管一体型照射光制御反射鏡を製作できるので大型施設やオフィスや等の照明器具や照明管としても提供できる。
【００２９】
図１３は図４の天井・壁面設置器具１２を天井に設置し、照明管一体型照射光制御反射鏡本体１３を取り付け下方より見上げた上方斜視図である。
【００３０】
図１４は本発明請求項３のスパイラル照明管一体型照射光制御反射鏡の電球形状体の側面図である。図８のスパイラル照明管一体型照射光制御反射鏡にカバー１０を設置したものである。カバー１０は外界からの衝撃から保護する事と口金１１をソケットに差し込む時に支持して取付けがおこなえる。
【００３１】
図１５は本発明請求項３の波状照明管一体型照射光制御反射鏡下方より見上げた上方斜視図である。
【００３２】
図１６は本発明請求項３の螺旋円錐管一体型照射光制御反射鏡の側面図である。カバー１０内部に設置された本図の照射光制御反射鏡７の設定放射角度は９０度に設定されていて複数の照明管（光源）１と照射光制御反射鏡７が螺旋円錐に組み合わされている。照明管（光源）１の放射光と照射光制御反射鏡７による反射光は全て水平から直下の９０度に重複照射され、照明器具設置位置より下方向の側方に照射力が高く光害が発生しにくいので公園や駐車場等の照明に適している。
【００３３】
図１７本発明請求項３の螺旋型照明管一体型照射光制御反射鏡の縦断面図である。棒状光源の照明管（光源）１と照射光制御反射鏡７を螺旋円錐形状に形成し照射光制御反射鏡７の中心光軸９を並行になる様に配置することで複数の放射光５及び反射光６が重複照射され面発光状態と同様との効果が得られる。この図は照射光制御反射鏡７の放射光の照射角度は９０度なので重複照射を含めた明るさは約３．５倍の明るさになる。大型の螺旋照明管一体型照射光制御反射鏡の場合には、低発熱で均一面発光照明の医療用無影灯として使用可能な低電力照明になる。
【００３４】
図１８本発明請求項４の螺旋型照明管一体型照射光制御反射鏡の縦断面図である。
放射角度６０度の照射光制御反射鏡７ａと放射角度７２度の照射光制御反射鏡７ｂの外周に放射角度９０度の照射光制御反射鏡７ｃの中心光軸９をずらして形成する事で灯軸中心部には５．７倍に集光された放射光５aと４．７倍に集光された放射光５ｂが重複照射される。外周部は照射光制御反射鏡７ｃによってカバー１０の水平位置から直下位置まで３．５倍に集光された放射光５ｃが照射される。
【産業上の利用可能性】
【００３５】
本発明の照射光制御反射鏡は余剰拡散光の拡散を防止し、全ての放射光を制御した反射鏡なので鏡面の形状と反射光の放射角度を調整することで重複照射光の放出角度は近並行光まで補えるので、利用可能性については一般照明から医療用無影灯や空港表示灯・灯台や消費電力の少なさから車両用照明器具・ソーラーパネルを使用した無給電街路灯など無限の可能性を有する。
【符号の説明】
【００３６】
１  照明管（光源）
２  側方反射板
３  器具
４  蛍光管支持具
５  放射光
５a 放射光
５a’放射光
５b 放射光
５b’放射光
５c 放射光
５c’放射光
６  反射光
７  照射光制御反射鏡
７a 照射光制御反射鏡
７b 照射光制御反射鏡
８  逆V字形状の凸型突出面反射鏡（または反射曲面鏡）構造物
９  中心光軸
１０カバー
１１口金
１２天井・壁面設置器具
１３照明管一体型照射光制御反射鏡本体
【図１】
2013041792.tif 000003
【図２】
2013041792.tif 000004
【図３】
2013041792.tif 000005
【図４】
2013041792.tif 000006
【図５】
2013041792.tif 000007
【図６】
2013041792.tif 000008
【図７】
2013041792.tif 000009
【図８】
2013041792.tif 000010
【図９】
2013041792.tif 000011
【図１０】
2013041792.tif 000012
【図１１】
2013041792.tif 000013
【図１２】
2013041792.tif 000014
【図１３】
2013041792.tif 000015
【図１４】
2013041792.tif 000016
【図１５】
2013041792.tif 000017
【図１６】
2013041792.tif 000018
【図１７】
2013041792.tif 000019
【図１８】
2013041792.tif 000020
【手続補正書】
【提出日】平成24年9月3日(2012.9.3)
【手続補正１】
【補正対象書類名】明細書
【補正対象項目名】全文
【補正方法】変更
【補正の内容】
【発明の詳細な説明】
【技術分野】
【０００１】
本発明は、照射光制御反射鏡及び照明管を組込んだ照明管一体型照射光制御反射鏡に関する。
【背景技術】
【０００２】
一般に販売されている照明管灯具は天井直付けや埋没式・吊り下げ式等の器具固定式で少ないエネルギーで広範囲を照らしている。しかし、代表的照明器具の蛍光灯ではあるが、エコ・省エネの波に押されＬＥＤ照明化が進んでいる。
【０００３】
また、直下を明るくする為に照明管支持具の上部に反射板を設置し、照明管前方にルーバー等の散光防止器具を装着しグレアを防ぎ、拡散光を直下方向に照射している。
【０００４】
そして、ウォールウォッシャータイプ等と呼ばれる壁面照射用器具等の照射方向を限定することで特定方向へ放射光を照射している。
【先行技術文献】
【特許文献】
【０００５】
【特許文献１】特開平１０−１６２６２６号公報
【特許文献２】特開２００１−１６７６２７号公報
【特許文献３】意匠第１１１９３４３号公報
【発明の概要】
【発明が解決しようとする課題】
【０００６】
本発明が解決しようとする課題は、蛍光管及び蛍光ネオン管等（以下、これらを単に照明管という）は棒状・曲管状または螺旋状等の光源であり放射光が均一な全方向放射光源である為、必要箇所への照射光量が少なく不必要な場所への拡散光が多かった。その拡散放射光を制御し不必要な箇所へは照射せず、必要な特定方向へ重複照射させる照明管器具や照明管を提供することである。
【０００７】
また、蛍光灯等の一般照明管は寒冷地や冷蔵ショーケース等では発光し難く発光効率も悪くフィラメント近傍が冷却されるとカタホレシス現象が発生しやすかった。また、蛍光管は電源のオンオフ一回で一時間短くなると言われているが、蛍光管周囲温度が高温になると明るさは増すが寿命は短くなった。
【０００８】
そして、蛍光灯等の埋没式一般照明灯具は照明管後方に反射率４０％から８０％程度の拡散反射板を設置して、照明管後方への一部の拡散放射光を拡散反射させている。また、照明管前方にはルーバー等の散光防止器具を使用して蛍光灯の放射光を制御している。照明管放射光の照射面積は６分の一程度に縮小されているが反射光の光源回帰消滅や反射板や器具等による吸収消滅の為に、照明管器具内の上部に大型鏡面反射板を設置しても１．５倍から２倍弱の照度しか得られず光量の増加は少なかった。                                              
【課題を解決するための手段】
【０００９】
課題を解決するには、照明管の後方への拡散放射光を部分的に反射させるのではなく、照明管を棒状光源や曲管光源として考えずに点光源の連続体と考えて回転放物面鏡や球面鏡の連続形状の局面鏡形状に照射設計した反射鏡の光軸上の鏡面近傍部に照明管を設置し、全ての照明管放射光を必要範囲のみに制御照射させる事である。
【００１０】
また、単体もしくは複数の曲面鏡や放物面鏡又は楕円曲面鏡（以下、これらを単に照射光制御反射鏡という）に極細の照明管を設置しカバーする事で明るさと照明管の破損や衝撃からの保護と劣化防止を行える。
【発明の効果】
【００１１】
本発明の照射光制御反射鏡（反射率９５％程度を使用）を１４ｗＴ５熱陰極管（１ｍの鉛直光度１４０ｃｄ）に配置して照明管（光源）１中心部から照射光制御反射鏡両端部までの放射光の放射角を１２０度に設定し照射面積を３分の１にすると鉛直光度は約２．９倍（４０８ｃｄ）になり放射角を９０度にすると放射光量は約３．８倍（５３７ｃｄ）になった。放射角を８０度にすると放射光量は約４．３倍（６０２ｃｄ）を計測した。
【００１２】
又、本発明の照射光制御反射鏡（反射率９５％程度を使用）を１４ｗ程度の冷陰極管（鉛直光度７０ｃｄ）に配置して、冷陰極管（光源）から蛍光管放射光制御反射鏡両端部までの放射光の放射角を１２０度に設定し照射面積を３分の１にすると鉛直光度は約２．９倍（２０２ｃｄ）を計測した。これは２０ｗ蛍光灯（鉛直光度１７０ｃｄ）や１００ｗ白熱電球（鉛直光度１２０ｃｄ）より明るく低発熱な照明となった。
【００１３】
本発明請求項２の波形状照明管一体型照射光制御反射鏡を３９ｗＴ５蛍光管で制作した場合、照明管一体型照射光制御反射鏡は縦３５ｃｍ横４０ｃｍの大きさで厚さも６ｃｍ程度だが、放射光の放射角を６０度に設定すると４００ｗ水銀灯に近い明るさを得る事ができる。天井に固定し照明管一体型照射光制御反射鏡を設置できるので大型商業施設や公共施設等の照明設置の際に壁下や梁を考慮する必要の無い照明設計が行える照明器具や照明管を提供できる。冷陰極管は寿命が４００００時間〜６００００時間の長寿命で電源のオンオフによる寿命変化が少ないので、φ４極細冷陰極管で製造した場合、１６０ｃｍを超える冷陰極管を使用した照明管一体型照射光制御反射鏡は縦横２５ｃｍに満たず厚さも２ｃｍ程度しかない極薄軽量照明なので肉厚１ｍｍ程度の照明管支持板を天井に固定し照明管一体型照射光制御反射鏡を設置できるのでオフィスや一般家屋等の照明器具や照明管として使用できる長寿命照明器具を提供できる。
【図面の簡単な説明】
【００１４】
【図１】図１は、中央部突出式２灯型蛍光灯器具の側面カバーを外した側面図である。
【図２】図２は、本実施の形態の照射光制御反射鏡７の横断面図である。
【図３】図３は、本実施の形態の逆Ｖ字形状の凸型反射曲面鏡構造を有する照明管用照射光制御反射鏡の横断面図である。
【図４】図４は、本実施の形態の螺旋型照明管一体型照射光制御反射鏡の下方より見上げた上方斜視図である。
【図５】図５は、本実施の形態のＵ字型照明管一体型照射光制御反射鏡の下方より見上げた上方斜視図である。
【図６】図６は、本実施の形態の環状照明管一体型の縦断面図である。
【図７】図７は、図６を下方より見上げた上方斜視図である。
【図８】図８は、本実施の形態のスパイラル照明管一体型用の照射光制御反射鏡の側面図である。
【図９】図９は、本実施の形態の変形螺旋照明管一体型照射光制御反射鏡を３９ｗＴ５蛍光管で制作した照明管一体型照射光制御反射鏡を下方より見上げた上方斜視図である。
【図１０】図１０は、本実施の形態のＵ字管型照明管一体型照射光制御反射鏡の密封型の楕円円柱型状体を下方より見上げた上方斜視図である。
【図１１】図１１は、本実施の形態のＮ型照明管一体型照射光制御反射鏡の下方より見上げた上方斜視図である。
【図１２】図１２は、本実施の形態の螺旋照明管一体型照射光制御反射鏡を下方より見上げた上方斜視図である。
【図１３】図１３は、図４の天井・壁面設置器具１２を天井に設置し、照明管一体型照射光制御反射鏡本体１３を取り付け下方より見上げた上方斜視図である。
【図１４】図１４は、本実施の形態のスパイラル照明管一体型照射光制御反射鏡の電球形状体の側面図である。
【図１５】図１５は、本実施の形態の波状照明管一体型照射光制御反射鏡下方より見上げた上方斜視図である。
【図１６】図１６は、本実施の形態の螺旋円錐管一体型照射光制御反射鏡の縦断面図である。
【図１７】図１７は、本実施の形態の螺旋型照明管一体型照射光制御反射鏡の縦断面図である。
【図１８】図１８は、本実施の形態の螺旋型照明管一体型照射光制御反射鏡の縦断面図である。
【発明を実施するための形態】
【００１５】
実施する最良の形態とは、照明管の拡散放射光を部分的に反射させるのではなく、照明管（光源）１近傍に放射光が光源回帰し難い高反射率の放射光制御反射鏡を設置し、照射光制御反射鏡両端と蛍光管中心部の距離と角度を変えて蛍光管からの放射光及び反射光の照射領域を調整し照射光制御反射鏡内で放射された全ての放射光を放射光開放角度内に重複反射させ照度を上げる機構を有させる事である。
【００１６】
また、照明管（光源）１を照射光制御反射鏡７本体に内蔵設置した照明管を製造することで、極細の蛍光管を破損から防ぎ周囲温度に影響されにくく、小型で明るく寒冷地や冷蔵庫等でも省エネルギーで使用出来る長寿命な照明管が製造出来る。
【実施例】
【００１７】
以下、本発明の実施例にもとづき図面を用いて説明する。
図１は一般的な中央部突出式２灯型蛍光灯器具の側面カバーを外した側面図である。器具３の蛍光管支持具４に配置された照明管（光源）１の器具に遮れられない放射光５ｂから５ｂ’及び５ｃから５ｃ’の放射角度はともに約１１０度程度で器具３内部に照射される２５０度程度の放射光５の大半は反射率４０％から８０％程度の側方反射板２によって拡散反射される。照明管（光源）１の側方反射板２から２’の器具前方への反射板設置角度は約６０度から９０度程度で照明管（光源）１の中心から側方反射板２から２’両端までの放射光５の放射角度は約８０度から１１０度程度であり、反射光６の光源回帰による輝度の増加も起こるが放射光５ａから放射光５ａ’間の反射光６大半は光源回帰消滅してしまう。器具３内部の大半の反射光６は光源回帰消滅や反射板・器具等による吸収消滅により激減し反射板未設置時より４０％程度の光量増加にとどまる。
【００１８】
図２は本発明の実施の形態の照射光制御反射鏡７の横断面図である。開放照射角度を４分の１の９０度に設定した照射光制御反射鏡７に照明管（光源）１を配置したものである。照明管（光源）１から放射された放射光制御反射鏡７に遮れられない放射光５ａから放射光５ａ’と照射光制御反射鏡７の両端と照明管（光源）１の中心を結んだ光源開放角９０度部分に照射された放射光５が反射した反射光６に分かれる。請求項１は照射光制御反射鏡の中央部（灯軸上）の鏡面部に逆Ｖ字形状の凸型反射曲面鏡構造物を有さないので照明管（光源）１近傍５ｂから５ｂ’間（後方放射光の７分の１程度）の放射光５が照射光制御反射鏡７によって照明管（光源）１に回帰消滅するが大半の反射光６は放射光５の開放角９０度内に反射され重複照射され約３．５倍の明るさとなった。
【００１９】
図３は本実施の形態の逆Ｖ字形状の凸型突起反射鏡（または反射曲面鏡）４構造を有する照明管用照射光制御反射鏡の横断面図である。図１の照射光制御反射鏡７の中央部（灯軸上）の鏡面部に逆Ｖ字形状の凸型突出面反射鏡（または反射曲面鏡）構造物８を有しているので照明管（光源）１に回帰消滅していた後方放射光の７分の１程度の反射光６は光源回帰せずに照射光制御反射鏡７の開口部より放射される。
【００２０】
図４は本実施の形態の螺旋型照明管一体型照射光制御反射鏡の縦断面状態を下方より見上げた上方斜視図である。照明管（光源）１管径中心点から照射光制御反射鏡の両端部までの放射光解放角度を約６０度に設定した照射光制御反射鏡７が照明管（光源）１の上面近傍から側方及び斜め前方まで照明管（光源）１を包囲しながら照射光制御反射鏡７の鏡軸上の鏡面近傍を照明管（光源）１が照射光制御反射鏡７と並行に螺旋形状に形成されカバー１０により保護されている。
【００２１】
図５は本実施の形態のＵ字型照明管一体型照射光制御反射鏡の下方より見上げた斜視図である。器具３に設置された照射光制御反射鏡７に照明管（光源）１が設置されている。
【００２２】
図６は本実施の形態の環状照明管一体型の縦断面図である。
【００２３】
図７は図６を下方より見上げた上方斜視図である。
【００２４】
図８は本実施の形態のスパイラル照明管一体型用の照射光制御反射鏡の側面図である。スパイラル形状はよく一般蛍光電球として使用されているが全ての蛍光管はピッチが狭く放射光の４０％程度は光源回帰消滅している。極細照明管（光源）１のピッチを照射光制御反射鏡７につり合う間隔でスパイラル形状に形成したもので全ての放射光は放射光と反射光として放射される。
【００２５】
図９は本実施の形態の変形螺旋照明管一体型照射光制御反射鏡を３９ｗＴ５蛍光管で制作した照明管一体型照射光制御反射鏡の下方斜視図である。大きさは縦３５ｃｍ横４０ｃｍで厚さも６ｃｍ程度だが、放射光の放射角を６０度に設定すると４００ｗ水銀灯以上の明るさを得る事ができる。
【００２６】
図１０は本実施の形態のＵ字管型照明管一体型照射光制御反射鏡の密封型の円柱型（楕円円柱型を含む）状体を下方より見上げた斜視図である。図６のＵ字管型照明管一体型照射光制御反射鏡をカバー１０により密封した密封型は周囲温度等が外界の冷気によって照明管（光源）１が極端に冷やされるおそれがなくなって、照明管１が安定した点灯状態を保ち易くなり、冷却により発生するカタホレシス現象が発生しにくくなり、外界からの衝撃に対して破損しにくく、安全な照明になった。
【００２７】
図１１は本実施の形態のＮ型照明管一体型照射光制御反射鏡の下方より見上げた上方斜視図である。図は２０ｗ蛍光灯一灯型とほぼ同大で厚みは４分の１であるが、３倍から６倍の明るさを有する。
【００２８】
図１２は本実施の形態の螺旋照明管一体型照射光制御反射鏡を下方より見上げた斜視図である。段落番号［００１２］で説明した直径４ｍｍの極細照明管の場合の照明管一体型照射光制御反射鏡は縦横２５ｃｍに満たず厚さも２ｃｍ程度しかなく、肉厚１ｍｍ程度の天井・壁面設置器具１２を天井や壁面に設置後に照射光制御反射鏡７や照明管（光源）１を内蔵しカバーで密封した照明管一体型照射光制御反射鏡本体１３を設置できる。直径４ｍｍのネオン管極細照明管を使用すると連続接続可能なので大型照明管一体型照射光制御反射鏡を製作できるので大型施設やオフィスや等の照明器具や照明管としても提供できる。
【００２９】
図１３は図４の天井・壁面設置器具１２を天井に設置し、照明管一体型照射光制御反射鏡本体１３を取付け下方より見上げた上方斜視図である。
【００３０】
図１４は、本実施の形態のスパイラル照明管一体型照射光制御反射鏡の電球形状体の側面図である。図８のスパイラル照明管一体型照射光制御反射鏡にカバー１０を設置したものである。カバー１０は外界からの衝撃から保護する事と口金１１をソケットに差し込む時に支持して取付けがおこなえる。
【００３１】
図１５は、本実施の形態の波状照明管一体型照射光制御反射鏡下方より見上げた上方斜視図である。
【００３２】
図１６は、本実施の形態の螺旋円錐管一体型照射光制御反射鏡の側面図である。カバー１０内部に設置された本図の照射光制御反射鏡７の設定放射角度は９０度に設定されていて複数の照明管（光源）１と照射光制御反射鏡７が螺旋円錐に組み合わされている。照明管（光源）１の放射光と照射光制御反射鏡７による反射光は全て水平から直下の９０度に重複照射され、照明器具設置位置より下方向の側方に照射力が高く光害が発生しにくいので公園や駐車場等の照明に適している。
【００３３】
図１７は本実施の形態の螺旋型照明管一体型照射光制御反射鏡の縦断面図である。棒状光源の照明管（光源）１と照射光制御反射鏡７を螺旋円錐形状に形成し照射光制御反射鏡７の中心光軸９を並行になる様に配置することで複数の放射光５及び反射光６が重複照射され面発光状態と同様との効果が得られる。この図は照射光制御反射鏡７の放射光の照射角度は９０度なので重複照射を含めた明るさは約３．５倍の明るさになる。大型の螺旋照明管一体型照射光制御反射鏡の場合には、低発熱で均一面発光照明の医療用無影灯として使用可能な低電力照明になる。
【００３４】
図１８は本実施の形態の螺旋型照明管一体型照射光制御反射鏡の縦断面図である。放射角度６０度の照射光制御反射鏡７ａと放射角度７２度の照射光制御反射鏡７ｂの外周に放射角度９０度の照射光制御反射鏡７ｃの中心光軸９をずらして形成する事で灯軸中心部には５．７倍に集光された放射光５ａと４．７倍に集光された放射光５ｂが重複照射される。外周部は照射光制御反射鏡７ｃによってカバー１０の水平位置から直下位置まで３．５倍に集光された放射光５ｃが照射される。
【産業上の利用可能性】
【００３５】
本発明の照射光制御反射鏡は余剰拡散光の拡散を防止し、全ての放射光を制御した反射鏡なので鏡面の形状と反射光の放射角度を調整することで重複照射光の放出角度は近並行光まで補えるので、利用可能性については一般照明から医療用無影灯や空港表示灯・灯台や消費電力の少なさから車両用照明器具・ソーラーパネルを使用した無給電街路灯など無限の可能性を有する。
【符号の説明】
【００３６】
１  照明管（光源）
２  側方反射板
３  器具
４  蛍光管支持具
５  放射光
５ａ  放射光
５ａ’  放射光
５ｂ  放射光
５ｂ’  放射光
５ｃ  放射光
５ｃ’  放射光
６  反射光
７  照射光制御反射鏡
７ａ  照射光制御反射鏡
７ｂ  照射光制御反射鏡
８  逆Ｖ字形状の凸型突出面反射鏡（または反射曲面鏡）構造物
９  中心光軸
１０  カバー
１１  口金
１２  天井・壁面設置器具
１３  照明管一体型照射光制御反射鏡本体